(57)【特許請求の範囲】
【請求項１】
セルラネットワークへの移動局のワイヤレス接続をサポートする方法において、
前記移動局はフェムトセル基地局のカバレジエリア内に位置し、前記移動局は前記フェムトセル基地局の非ＣＳＧ移動局であり、
前記移動局は干渉を受け、該干渉を前記フェムトセル基地局に通知し、
前記フェムトセル基地局が、前記非ＣＳＧ移動局の受けている干渉の通知を受信した後、干渉関連情報を報告するように前記非ＣＳＧ移動局に指示し、
前記フェムトセル基地局が、前記干渉関連情報に基づいて、自己が前記非ＣＳＧ移動局の受けている干渉の発信源であるかどうかの第１のチェックを実行することを特徴とする、セルラネットワークへの移動局のワイヤレス接続をサポートする方法。
【請求項２】
前記第１のチェックの結果、前記フェムトセル基地局が前記非ＣＳＧ移動局の受けている干渉の発信源でない場合、前記フェムトセル基地局が、前記非ＣＳＧ移動局のネットワーク加入手順を中断することを特徴とする請求項１に記載の方法。
【請求項３】
前記第１のチェックの結果、前記フェムトセル基地局が前記非ＣＳＧ移動局の受けている干渉の発信源である場合、前記フェムトセル基地局が、前記非ＣＳＧ移動局のネットワーク加入手順を続行することを特徴とする請求項１または２に記載の方法。
【請求項４】
前記非ＣＳＧ移動局のネットワーク加入手順が、前記フェムトセル基地局と前記非ＣＳＧ移動局との間での認証の成功後にのみさらに続行されることを特徴とする請求項３に記載の方法。
【請求項５】
前記第１のチェックの結果、前記フェムトセル基地局が前記非ＣＳＧ移動局の受けている干渉の発信源である場合、前記フェムトセル基地局が、自己による干渉を軽減することができるかどうかの第２のチェックを実行することを特徴とする請求項１ないし４のいずれか１項に記載の方法。
【請求項６】
前記第２のチェックが、ビームフォーミング、電力制御、および／またはスペクトル回避の手段を含むことを特徴とする請求項５に記載の方法。
【請求項７】
前記第２のチェックの結果、前記非ＣＳＧ移動局との干渉の問題が解決可能である場合、前記フェムトセル基地局が、適切な干渉軽減手段を実行することを特徴とする請求項５または６に記載の方法。
【請求項８】
前記第２のチェックの結果、前記非ＣＳＧ移動局との干渉の問題が解決可能でない場合、前記フェムトセル基地局が、干渉軽減手段について協力するために他の基地局と通信することを特徴とする請求項５ないし７のいずれか１項に記載の方法。
【請求項９】
前記移動局が、前記フェムトセル基地局へＡＡＩ＿ＲＮＧ−ＲＥＱ（Advanced Air Interference Ranging Request）メッセージを送信することによって、受けている干渉の通知を実行することを特徴とする請求項１ないし８のいずれか１項に記載の方法。
【請求項１０】
干渉関連情報を報告することを前記非ＣＳＧ移動局に求める指示が、前記フェムトセル基地局から受信されるＡＡＩ＿ＳＮＣ−ＲＳＰ（Advanced Air Interference Scanning Interval Allocation Response）メッセージを含むことを特徴とする請求項１ないし９のいずれか１項に記載の方法。
【請求項１１】
前記非ＣＳＧ移動局が、前記フェムトセル基地局へ干渉関連情報を報告するために、ＡＡＩ＿ＳＮＣ−ＲＥＰ（Advanced Air Interference Scanning Result Report）メッセージを使用することを特徴とする請求項１ないし１０のいずれか１項に記載の方法。
【請求項１２】
前記干渉関連情報が、干渉している基地局の識別情報を含むことを特徴とする請求項１ないし１１のいずれか１項に記載の方法。
【請求項１３】
前記干渉関連情報が、前記非ＣＳＧ移動局の受けている干渉レベルを含むことを特徴とする請求項１ないし１２のいずれか１項に記載の方法。
【請求項１４】
前記セルラネットワークがＷｉＭＡＸネットワークであることを特徴とする請求項１ないし１３のいずれか１項に記載の方法。
【請求項１５】
セルラネットワークへの移動局のワイヤレス接続をサポートするフェムトセル基地局において、
該フェムトセル基地局が、そのカバレジエリア内に位置する非ＣＳＧ移動局の受けている干渉の通知を受信するように構成され、
前記フェムトセル基地局が、非ＣＳＧ移動局の受けている干渉の通知を受信した後、干渉関連情報を報告するように前記非ＣＳＧ移動局に指示するように構成され、
前記フェムトセル基地局が、前記干渉関連情報に基づいて、自己が前記非ＣＳＧ移動局の受けている干渉の発信源であるかどうかの第１のチェックを実行するように構成されることを特徴とする、セルラネットワークへの移動局のワイヤレス接続をサポートするフェムトセル基地局。
【発明の詳細な説明】
【技術分野】
【０００１】
本発明は、セルラネットワークへの移動局のワイヤレス接続をサポートする方法に関する。前記移動局はフェムトセル基地局のカバレジエリア内に位置し、前記移動局は前記フェムトセル基地局の非ＣＳＧ移動局であり、前記移動局は干渉を受け、該干渉を前記フェムトセル基地局に通知する。
【０００２】
また、本発明は、セルラネットワークへの移動局のワイヤレス接続をサポートするフェムトセル基地局に関する。該フェムトセル基地局は、そのカバレジエリア内に位置する非ＣＳＧ移動局の受けている干渉の通知を受信するように構成される。
【背景技術】
【０００３】
近年、モバイルネットワーク事業者は、事業者の顧客の宅内に設置可能なフェムトセル（ホーム基地局、ホームＢＴＳ、ホームＮＢ、フェムトアクセスポイント（femto access point, ＦＡＰ）、あるいはフェムト無線基地局ともいう）を配備することに関心を示している。このようなフェムトセルは、現在は３Ｇおよび４Ｇの両方のネットワークに対して開発および標準化されており、小型・低価格・低送信電力のモバイル基地局（base station, ＢＳ）である。フェムトセル基地局の設置は通常、技術的訓練を受けていない顧客自身によって扱われるので、簡単なプラグアンドプレイ手順とする必要がある。フェムトセル基地局は、ＷｉＦｉアクセスポイントに類似しているが、無線インタフェースは、ＷｉＭＡＸ（Worldwide Interoperability for Microwave Access）、ＵＭＴＳ（Universal Mobile Telecommunications System）あるいは３ＧＰＰ  ＬＴＥ（Long Term Evolution）のような広域セルラネットワーク標準に基づいている。一般的に、フェムトセル基地局は、ＤＳＬやＦＴＴＨ（Fiber to the home）のような通常のブロードバンドインターネットコネクション（バックホールコネクション）を通じて、仮想プライベートネットワークコネクション経由で、事業者のネットワークに接続される。
【０００４】
フェムトセルを導入する１つの理由は、ユーザエクスペリエンスを向上させるために事業者ネットワークのカバレジおよびスループットを拡大し、それにより、固定電話と携帯電話の融合（fixed-mobile-convergence）へ大きく前進することである。Ｗｉ−Ｆｉアクセスポイントと同様に、フェムトセルは、それぞれのエリアにおいて十分なカバレジを提供するために、家庭およびオフィス環境に配備されるように設計され、人口やオフィスの密度が高いエリアでは高い配備密度となることが期待される。しかし、フェムトセルの配備にはいくつかの欠点が伴う。その１つは、ネットワークのマクロレベルとフェムトレベルとの間の干渉効果である。フェムトセル基地局は、事業者の広域ネットワークと同じ認可周波数帯において配備されることが多いので、他の基地局と干渉しないように正しく無線インタフェースを設定することが重要である。
【０００５】
フェムトセルネットワークは、屋内のカバレジおよび容量を向上させることができる。しかし、フェムトセル基地局は、その送信電力のバランスを慎重に調整する必要がある。すなわち、送信電力は、加入者に対して良好な信号強度を確保できる程度に高くなければならないが、他の移動局、他のフェムトセル、および場合によっては、コロケートされたマクロセル基地局に対する重大な干渉を避けることができないほど高すぎてはならない。この問題を解決するため、従来技術の解決法によれば、フェムトセルは、例えば、ネットワークの無線リソース管理ユニット（Radio Resource Management, ＲＲＭ）に接続される。ＲＲＭは、通常は無線アクセスネットワーク（Radio Access Network）に配置される機能／論理ユニットであり、例えば周波数割当や送信電力制御を担当する。
【０００６】
現在の標準であるＩＥＥＥ  Ｐ８０２．１６ｍにおける定義によれば、加入特性に関して、フェムトセル基地局は３つの主要な加入者タイプのカテゴリに分類される。それらの主要なカテゴリは、オープン加入者グループ（Open Subscriber Group, ＯＳＧ）、クローズド加入者グループ−クローズド（Closed Subscriber Group - Closed, ＣＳＧクローズド）およびクローズド加入者グループ−オープン（ＣＳＧオープン）である。これらのカテゴリは以下のように記述することができる。
【０００７】
・オープン加入者グループ（ＯＳＧ）フェムトセル基地局は、任意の移動局（mobile station, ＭＳ）にとってアクセス可能である。
【０００８】
・ＣＳＧクローズドでは、フェムトセル基地局は、緊急サービスを除き、このフェムトセル基地局のメンバである移動局にとってのみアクセス可能である。
【０００９】
・ＣＳＧオープンフェムトセル基地局は、そのクローズド加入者グループ（ＣＳＧ）に属する移動局にとっては基本的にアクセス可能であるが、ＣＳＧ以外の他の移動局（すなわち、非メンバ移動局）もまた、このようなフェムトセル基地局にアクセス可能である。ただし、非メンバ移動局は、より低い優先度でサービスされる。ＣＳＧオープンフェムトセル基地局は、そのＣＳＧ内の移動局のサービス品質（ＱｏＳ）を損なわない限りにおいて、非メンバ移動局にサービスを提供する。これは、このフェムトセル基地局の非ＣＳＧ移動局に対するベストエフォートサービスを意味する。
【００１０】
一般的に、バックホールコネクションおよび／またはフェムトセル基地局の所有者は、維持費および自己の宅内へのブロードバンドコネクションに対する支払をしているので、フェムトセル基地局へのアクセスを制限したい場合がある。このため、標準ＩＥＥＥ  Ｐ８０２．１６ｍによる分類は、近隣のＣＳＧクローズドフェムトセルのメンバでないＭＳが、１つまたは複数のＣＳＧクローズドフェムトセル基地局によってのみカバーされるエリアに入ったときに、当該ＭＳとそのマクロセル基地局との通信が重大な干渉を受けたり、さらには完全に遮断されたりすることがあるという問題を引き起こす。具体的には、例えば、１つまたは複数の近隣のＣＳＧクローズドフェムトセルのメンバでない非ＣＳＧメンバＭＳが、ＣＳＧクローズドのみのエリアに入った場合、あるいは、ＣＳＧクローズドのみのカバレジエリア内でオンに切り替わった場合に、周囲のフェムトセル基地局からの干渉が、当該非ＣＳＧメンバＭＳとそのサービング（マクロ）基地局あるいは最近接（マクロ）基地局との間の通信を遮断することがある。
【００１１】
上記の問題を解決するため、現在のＩＥＥＥ８０２．１６ｍ標準においては、すでに以下のように合意されている。
【００１２】
「高度移動局（advanced mobile station, ＡＭＳ）が、ＣＳＧクローズドフェムト高度基地局（advanced base station, ＡＢＳ）によって機能停止状態になり、該ＡＭＳが該ＡＢＳのメンバでない場合、該ＡＭＳは、「Femto Interference」ビットを１にセットしたＡＡＩ＿ＲＮＧ−ＲＥＱを送信することによって、この問題をそのフェムトＡＢＳに通知することができる。」
【００１３】
これにより、非ＣＳＧクローズドＭＳは、フェムトセル基地局に対して、それがＭＳへの干渉源であると通知することができる。
【００１４】
これに基づいて、干渉を軽減するためのいくつかの解決法が提案されている。最も広く普及している解決法として以下のものがある。
【００１５】
ネットワークエンティティとの通信後、すなわち、フェムトセルへ干渉通知を送信した後、ＣＳＧクローズドフェムトＢＳは、ＣＳＧオープンフェムトＢＳに転換することが考えられる。別法として、ＣＳＧクローズドフェムトＢＳがネットワークエンティティによる指示に従って、その送信電力を低下させること、および／または、ＣＳＧクローズドフェムトＢＳがネットワークエンティティによる指示に従って、ある一定のリソース領域での送信を控えること、が提案されている。
【００１６】
しかし、これらの提案はすべて不完全な解決法であり、以下のような代表的な問題が依然として解決されていない。
１．ＡＡＩ＿ＲＮＧ−ＲＥＱを送信したＭＳが正規のＭＳであるということを、ＣＳＧフェムトセルはどのようにして信頼することができるのか？
２．他の基地局が周囲に存在する場合に、自己が干渉源であることを、ＣＳＧフェムトセルはどのようにして確かめることができるのか？
３．干渉レベルとは何か？
【発明の概要】
【発明が解決しようとする課題】
【００１７】
したがって、本発明の目的は、セルラネットワークへの移動局のワイヤレス接続をサポートするための頭書のような方法およびフェムトセル基地局において、実施の容易なメカニズムを使用することにより、ＣＳＧクローズドフェムトセル基地局のカバレジエリア内の非ＣＳＧ移動局の干渉が大幅に低減されるような改良およびさらなる展開を行うことである。
【課題を解決するための手段】
【００１８】
本発明によれば、上記の目的は、請求項１の構成を備えた方法によって達成される。この請求項に記載の通り、本方法は、以下のことを特徴とする。すなわち、前記フェムトセル基地局は、前記非ＣＳＧ移動局の受けている干渉の通知を受信した後、干渉関連情報を報告するように前記非ＣＳＧ移動局に指示し、前記フェムトセル基地局は、前記干渉関連情報に基づいて、自己が前記非ＣＳＧ移動局の受けている干渉の発信源であるかどうかの第１のチェックを実行する。
【００１９】
また、上記の目的は、請求項１５の構成を備えたフェムトセル基地局によって達成される。この請求項に記載の通り、本フェムトセル基地局は、以下のことを特徴とする。すなわち、前記フェムトセル基地局は、非ＣＳＧ移動局の受けている干渉の通知を受信した後、干渉関連情報を報告するように前記非ＣＳＧ移動局に指示するように構成され、前記フェムトセル基地局は、前記干渉関連情報に基づいて、自己が前記非ＣＳＧ移動局の受けている干渉の発信源であるかどうかの第１のチェックを実行するように構成される。
【００２０】
本発明によって認識されたこととして、従来の解決法の不完全性を考慮すると、近隣のＣＳＧフェムトセル基地局からの干渉によって非ＣＳＧメンバが被る問題に対する完全な解決は、フェムトセルの実施に立ちはだかる最大の課題の１つであるため、実行可能な解決法は、実際の現場の配備にとって非常に本質的である。このため、フェムトセルが移動局の受けている干渉の通知を受信した後、本発明は、干渉軽減を効果的にサポートする後続手順を提案する。
【００２１】
すなわち、後続手順は、近隣のフェムトセル基地局から干渉を受けている非ＣＳＧ移動局に対して、フェムトセル基地局に干渉関連情報を報告するよう指示することを含む。本発明によれば、報告を受信したフェムトセル基地局は、干渉関連情報を分析し、自己が非ＣＳＧ移動局の受けている干渉の発信源であるかどうかのチェックを実行することによって能動的に応答する。このチェックの結果は、フェムトセル基地局にとって、特定の状況に能動的に応答するため、および、干渉を効果的に低減するために、フェムトセル基地局が実行可能な専用の手段の基礎となることが可能である。
【００２２】
本発明による方法は、実施が確実かつ容易である。また、既存の標準に対する実質的な変更を生じない。
【００２３】
好ましい実施形態によれば、フェムトセル基地局が非ＣＳＧ移動局の受けている干渉の発信源であるかどうかの第１のチェックの結果に基づいて、フェムトセル基地局は、干渉軽減のためのさらなるステップを実行してもよい。例えば、第１のチェックの結果、フェムトセル基地局が非ＣＳＧ移動局の受けている干渉の発信源でない場合、フェムトセル基地局は、非ＣＳＧ移動局のネットワーク加入手順を中断してもよい。
【００２４】
一方、第１のチェックの結果、フェムトセル基地局が非ＣＳＧ移動局の受けている干渉の発信源である場合、フェムトセル基地局は、ネットワークへの移動局の接続をサポートするために、非ＣＳＧ移動局のネットワーク加入手順をさらに続行するようにしてもよい。フェムトセル基地局のこのような動作を実施することにより、各フェムトセル基地局は、干渉している移動局を担当することになる。その場合、干渉は、それぞれのフェムトセル基地局を介して移動局のネットワーク加入をサポートすることによって軽減される。
【００２５】
好ましい実施形態によれば、ネットワーク加入手順は、それぞれの非ＣＳＧ移動局が正規ユーザであると判明した場合にのみ続行されるようにしてもよい。この目的のため、フェムトセル基地局と非ＣＳＧ移動局との間で認証手順が実行されてもよい。その場合、非ＣＳＧ移動局のネットワーク加入手順は、認証が正しく完了した後にのみさらに続行される。
【００２６】
干渉をさらに低減するため、フェムトセル基地局は、自己が非ＣＳＧ移動局の受けている干渉の発信源であることを第１のチェックで確認した場合、自己による干渉を軽減することができるかどうかの第２のチェックを実行するようにしてもよい。この第２のチェックにおいて、フェムトセル基地局は、ビームフォーミング、電力制御、スペクトル回避等のようなさまざまな手段を開始して、非ＣＳＧ移動局の受けている干渉にこれらの手段がどのように影響するかをチェックしてもよい。アップリンク送信の場合、交換される情報は、非メンバ移動局からの干渉を消去または少なくとも低減するために、フェムトセル基地局によって使用されてもよい。
【００２７】
有利な態様として、第２のチェックの結果、非ＣＳＧ移動局との干渉の問題が解決可能である場合、フェムトセル基地局は、適切な干渉軽減手段を実行してもよい。他方、第２のチェックの結果、非ＣＳＧ移動局との干渉の問題が解決可能でない場合、フェムトセル基地局は、干渉軽減手段について協力するために他の基地局と通信してもよい。この場合、具体的なシナリオに応じてさまざまな解決法が適用可能である。
【００２８】
移動局は、この目的のために特別に設計されたメッセージ、または既存のメッセージのいずれかを送信することによって、フェムトセル基地局へ、受けている干渉の通知をしてもよい。例えば、特定実施形態において、移動局は、ＡＡＩ＿ＲＮＧ−ＲＥＱ（Advanced Air Interference Ranging Request）メッセージを送信する。これは、それぞれの標準にすでに実装されている。このメッセージにおいて、「Femto Interference」ビットが規定されており、干渉の場合に１にセットすることができる。
【００２９】
同様に、それぞれの標準に実装されたＡＡＩ＿ＳＮＣ−ＲＳＰ（Advanced Air Interference Scanning Interval Allocation Response）メッセージを使用してもよい。特に、このメッセージは、フェムトセル基地局から非ＣＳＧ移動局へ送信され、フェムトセル基地局へ干渉関連情報を報告するための指示として非ＣＳＧ移動局によって使用されてもよい。これに応答して、非ＣＳＧ移動局は、フェムトセル基地局へ干渉関連情報を報告するために、それぞれの標準に実装されているＡＡＩ＿ＳＮＣ−ＲＥＰ（Advanced Air Interference Scanning Result Report）メッセージを使用してもよい。既存の標準のメッセージを使用することにより、本発明による方法の実施は、標準に対する実質的変更を必要としない。
【００３０】
非ＣＳＧ移動局の受けている干渉条件の概要をフェムトセル基地局に提供するため、干渉関連情報は、干渉している基地局の識別情報を含むようにしてもよい。別法として、またはこれに加えて、干渉関連情報は、例えば干渉レベルを通知するという形式で、受けている干渉の強度に関する情報を含んでもよい。
【００３１】
本発明はさまざまなシナリオに適用可能であるが、ＷｉＭＡＸおよび／または将来のワイヤレスブロードバンド技術に特に好適である。
【００３２】
本発明を好ましい態様で実施するにはいくつもの可能性がある。このためには、一方で請求項１に従属する諸請求項を参照しつつ、他方で図面により例示された本発明の好ましい実施形態についての以下の説明を参照されたい。図面を用いて本発明の好ましい実施形態を説明する際には、本発明の教示による好ましい実施形態一般およびその変形例について説明する。
【図面の簡単な説明】
【００３３】
【図１ａ】本発明の実施形態による、非ＣＳＧメンバがＣＳＧフェムトセル基地局にアクセスすることを可能にするメカニズムを例示する流れ図である。
【図１ｂ】本発明の実施形態による、非ＣＳＧメンバがＣＳＧフェムトセル基地局にアクセスすることを可能にするメカニズムを例示する流れ図である。
【発明を実施するための形態】
【００３４】
図１ａ／ｂは、本発明の実施形態による方法の模式図である。これは、非ＣＳＧメンバがＣＳＧフェムトセル基地局にアクセスすることを可能にするネットワーク加入手順を示している。図１ａは、フェムトセル配備における多段階干渉軽減手順の前半を例示し、ステップ１−４を含む。図１ｂは、手順の後半を例示し、ステップ５−７を含む。破線のボックスで示すように、ステップ４、６および７は、本発明の実施形態による本質的なステップを含み、これらは従来技術の解決法と比べて新規である。
【００３５】
図１ａに示すように、非ＣＳＧメンバがＣＳＧフェムトセル基地局に接続するための方法および手順はステップ１から開始される。ステップ１により、非ＣＳＧ移動局ＭＳは、近隣のフェムトセル基地局ＢＳから重大な干渉を受けているとき、ダウンリンクチャネルをスキャンし、フェムトセルＢＳと同期する。特にスキャン手順を追加することによって、フェムトセルＢＳは、自己が干渉を引き起こしている源であるかどうかを確認することができる（詳細は後述）。
【００３６】
同期後、ステップ２で、非ＣＳＧ  ＭＳは、スーパーフレームヘッダ（superframe header, ＳＦＨ）からアップリンク（uplink, ＵＬ）／ダウンリンク（downlink, ＤＬ）パラメータを取得することができる。
【００３７】
続いて、ステップ３で、非ＣＳＧ  ＭＳは、例えば「Femto Interference」ビットを１にセットしたＡＡＩ＿ＲＮＧ−ＲＥＱメッセージを送信することによって、受けている干渉の問題をフェムトセルＢＳに通知することができる。
【００３８】
フェムトセルＢＳは、ＡＡＩ＿ＲＮＧ−ＲＥＱメッセージを受信した後、ステップ４で、ＡＡＩ＿ＳＣＮ−ＲＳＰを非ＣＳＧ  ＭＳへ送信することができる。ＡＡＩ＿ＳＣＮ−ＲＳＰは、受けている干渉に関してさらに詳細に報告することを非ＣＳＧ  ＭＳに求める指示として機能する。その結果、非ＣＳＧ  ＭＳは、例えばＡＡＩ＿ＳＣＮ−ＲＥＰメッセージを使用することによって、測定結果をフェムトセルＢＳへ報告する。ＡＡＩ＿ＳＣＮ−ＲＥＰメッセージには、干渉している基地局の識別情報および干渉レベルが含まれる。
【００３９】
非ＣＳＧ  ＭＳから報告を受信した後、フェムトセルＢＳは、自己が干渉を引き起こしている源であるかどうかの第１のチェックを実行する。フェムトセルＢＳは、自己が干渉を引き起こしている源であると確認した場合、非ＣＳＧ  ＭＳのネットワーク加入手順を続行する。そうでない場合、手順のこの段階で、フェムトセルＢＳは、非ＣＳＧ  ＭＳのネットワーク加入を中止する。
【００４０】
非ＣＳＧ  ＭＳのネットワーク加入手順を続行する場合、図１ｂのステップ５に示すように、非ＣＳＧ  ＭＳとフェムトセルＢＳとの間の基本機能ネゴシエーションを実行してもよい。
【００４１】
ステップ６で、認証手順の段階を開始する。というのは、認証手順が成功した後でのみ、非ＣＳＧ  ＭＳは正規ユーザであると証明できるからである。非ＣＳＧ  ＭＳが正規ユーザであると証明された場合、ネットワーク加入を続行する。そうでない場合、非ＣＳＧ  ＭＳのネットワーク加入は停止される。このステップはネットワーク加入の標準的部分であるが、従来技術では、フェムトセル干渉軽減との関連ではこれまで考慮されてこなかった。
【００４２】
ステップ７は、２段階干渉軽減シナリオを提案している。認証手順が正しく完了した後、フェムトセルＢＳは、まず、自己による干渉を軽減することができるかどうかをチェックする。この目的のため、フェムトセルＢＳは、第２のチェックを実行し、ビームフォーミング、電力制御、スペクトル回避等のような必要な手段を開始する。アップリンク送信の場合、交換される情報は、非メンバＭＳからの干渉を消去するために、フェムトセルＢＳによって使用されてもよい。
【００４３】
第２のチェックの結果が、フェムトセルＢＳが自己による干渉の問題を解決できることをフェムトセルＢＳに対して示している場合、フェムトセルＢＳは、適切な干渉軽減手順を実行する。例えば、自己の送信電力を低下させる。他方、第２のチェックの結果が、フェムトセルＢＳが自己による干渉の問題を解決できないことをフェムトセルＢＳに対して示している場合、フェムトセルＢＳは、干渉を軽減するプロセスについて協力するために他のＢＳと通信する。具体的なシナリオに応じてさまざまな解決法が適用可能である。例えば、フェムトセルＢＳは、直接無線リンクまたはネットワークバックホールコネクションを通じて、他のＢＳと干渉軽減について協調し情報を交換することにより、ダウンリンクＴＸ電力を調整するように他の近隣のＢＳに要求したり、ＵＬ電力を低下させるようにＭＳに要求したり、セル間干渉を最小化するように無線リソースを協調的に管理したりする。その場合、フェムトセルＢＳおよび他のＢＳは、相異なる無線周波数を使用するよう交渉することが可能であり、また、フェムトセルＢＳおよび他のＢＳは、干渉を低減するように協調的なビームフォーミングを実行すること、あるいは、干渉しているＭＳに割り当てられたリソースを変更すること、あるいは、ネットワーク主導ハンドオーバー手順を開始することが可能である。干渉ランダム化のような他の高度な技術も利用可能である。
【００４４】
この２段階干渉軽減による解決法は、まずフェムトセルＢＳで干渉軽減の実行を試みてから、独立に干渉軽減を実行することができない場合にのみ他のＢＳと通信する。これに対して、従来技術の解決法は、フェムトセルＢＳまたはネットワークのいずれかに集中しており、２段階の解決法を提供していない。上記のような２段階の解決法を実施することにより、システムに対する影響を最小限にとどめることができる。
【００４５】
上記の説明および添付図面の記載に基づいて、当業者は本発明の多くの変形例および他の実施形態に想到し得るであろう。したがって、本発明は、開示した具体的実施形態に限定されるものではなく、変形例および他の実施形態も、添付の特許請求の範囲内に含まれるものと解すべきである。本明細書では特定の用語を用いているが、それらは総称的・説明的意味でのみ用いられており、限定を目的としたものではない。
【図１ａ】
0005490926.tif 000002
【図１ｂ】
0005490926.tif 000003